Podtech/llm-jp-corpus-v4-ja_patent huggingface dataset:
(57)【要約】      （修正有）【課題】シャワーキャップ本体の下部端縁にのみ伸縮自在の性質が備わっており、かつ該下部端縁全体で１つの輪を形成しているタイプのシャワーキャップにおいて、ロングヘアを後ろで束ねた状態で着用しても、髪の重み等で垂れ下がってこないシャワーキャップを提供する。【解決手段】前述したタイプのシャワーキャップにおいて、シャワーキャップ本体の外側部分１Ａか下部端縁２か、もしくはその両方の、それぞれ離れた任意の箇所に紐３，４を備え付け、該紐どうしを結合させることによって、シャワーキャップ本体の垂れ下がりを防止する。【選択図】図１
0003171752.tif 000002
【実用新案登録請求の範囲】
【請求項１】
シャワーキャップ本体の下部端縁のみに伸縮自在の性質が備わっており、かつ前記下部端縁全体で１つの輪を形成しているタイプのシャワーキャップにおいて、該シャワーキャップ本体外側部分か、前記下部端縁か、もしくはその両方の、互いに離れた任意の箇所から伸びている紐どうしを結合させることにより、着用時に、該シャワーキャップ本体が毛髪等の重みで垂れ下がらないように維持できることを特徴とするシャワーキャップ。
【考案の詳細な説明】
【技術分野】
【０００１】  本考案は、シャワーキャップに関する。
【背景技術】
【０００２】  シャワーキャップ本体の下部端縁のみに伸縮自在の性質が備わっており、かつ該下部端縁全体で１つの輪を形成しているタイプのシャワーキャップにおいて、従来のシャワーキャップでは、ロングヘアを後ろで束ねた状態で着用した場合などに、シャワーキャップ本体が、束ねた髪の重み等で首のあたりまで垂れ下がり、首を洗う際に、邪魔になった。
【先行技術文献】
【特許文献】
【特許文献１】実用新案公開平７−３６９０８
【考案の概要】
【考案が解決しようとする課題】
【０００３】  本願考案では、前述したタイプのシャワーキャップにおいて、ロングヘアを後ろで束ねた状態でシャワーキャップを着用しても、束ねた髪の重み等で垂れ下がってこないシャワーキャップを提供することが課題である。
【課題を解決するための手段】
【０００４】  シャワーキャップ本体の外側部分か、シャワーキャップ本体の下部端縁が、もしくはその両方の、互いに離れた任意の箇所から伸びている紐どうしを結合させることにより、着用時、該シャワーキャップの本体が毛髪等の重みで垂れ下がるのを防止することができるシャワーキャップを提供する。
【考案の効果】
【０００５】  本願考案に係るシャワーキャップには、前述した紐が備わっているが、その紐を互いに結合させることにより、垂れ下がってしまいがちな部分を持ち上げた状態で維持することができる。
【図面の簡単な説明】
【図１】一実施例としてのシャワーキャップの斜視図。
【図２】一実施例としてのシャワーキャップを、外側部分から見た場合の平面図。
【図３】別の一実施例としてのシャワーキャップを、外側部分から見た場合の平面図。
【図４】更に別の一実施例としてのシャワーキャップを、外側部分から見た場合の平面図。
【考案を実施するための形態】
【０００６】  図１には本願考案に係るシャワーキャップの斜視図を示している。１Ａと１Ｂのどちらともが、シャワーキャップ本体を表すが、１Ａはシャワーキャップ本体の外側部分を指し示し、１Ｂはシャワーキャップ本体の内側部分を指し示している。
【０００７】シャワーキャップ本体外側部分である１Ａが、シャワーキャップ本体の下部端縁２か、もしくはその両方の、それぞれ離れた任意の箇所から伸びている紐３と紐４とを互いに結び合わせると図２のようになる。
【０００８】また、別の実施例としては、図３のように、紐３ａにマジックテープ凸側５をとりつけて、紐４ａにマジックテープ凹側６をとりつけることにより、紐３ａと紐４ａとをマジックテープの力で結合させることができるようになる。
【０００９】更に別の実施例として、図４で示した紐７と紐８のように、紐の数を増やした場合、紐７と紐８とを結び合わせ、更に紐３ｂと紐４ｂとを結び合わせることで、前後だけでなく、左右の垂れ下がりをも防止できる作りにすることができる。
【符号の説明】１Ａ・シャワーキャップ本体の外側部分
１Ｂ・シャワーキャップ本体の内側部分
２・シャワーキャップ本体の下部端縁（伸縮自在部分）
３・紐
４．紐
５・マジックテープ凸側
６・マジックテープ凹側
３ａ・紐
４ａ・紐
１Ａａ・シャワーキャップ本体の外側部分
３ｂ・紐
４ｂ・紐
７・紐
８・紐
１Ａｂ・シャワーキャップ本体の外側部分
【図１】
0003171752.tif 000003
【図２】
0003171752.tif 000004
【図３】
0003171752.tif 000005
【図４】
0003171752.tif 000006
(57)【要約】      （修正有）【課題】排水管洗浄ホースによる摩耗の肉厚減少を補償して耐久性を維持した鋳鉄製管継手の耐久性維持構造を提供する。【解決手段】鋳鉄製管継手本体１において、曲り部２の曲率半径の小さい側２ａの肉厚を大きくした厚肉部３を設け、摩耗による肉厚減少を補償し耐久性を維持した構造とする。【選択図】図１
0003171757.tif 000002
【実用新案登録請求の範囲】
【請求項１】
鋳鉄製管継手の曲り部に、その他の部分よりも肉厚を大きくした厚肉部が設けられていることを特徴とする鋳鉄製管継手の耐久性維持構造。
【考案の詳細な説明】
【考案の詳細な説明】
【技術分野】
【０００１】  本考案は、建物の排水管路に使用する耐久性に優れた鋳鉄製管継手の構造に関するものである。
【背景技術】
【０００２】  排水管路の内壁には油脂分などの汚泥が付着し、排水の障害となる場合がある。このような事案を未然に防ぐため、定期的に排水管洗浄が行われてきた。代表的な排水管洗浄には高圧洗浄があり、その際に用いるホースは主に作業性に優れたステンレス製のメッシュホースで、ホースが管継手の曲り部を通過する際、強い力で継手曲り部に押さえつけられ、擦られることにより曲り部の材質が削り取られてしまう事があった。このため、数年の内に管継手の曲り部に孔が開き漏水に至ることがあった。【０００３】  このような漏水を防ぐため、鋳鉄製管継手では内表面に硬度を高めた耐摩耗性被覆を形成するといった表面処置が採られてきた。
【考案が解決しようとする課題】
【０００４】  しかしながら、このような硬度を高めた耐摩耗性被覆は、衝撃に脆く、洗浄ホース通過による割れ、欠落が頻発し、皮膜の欠落部にホースが直接接触するようになり、ついには管継手の曲り部の鋳鉄素材が摩耗し、孔が開く場合がある。
【課題を解決するための手段】
【０００５】  前記課題を解決するため、本考案の鋳鉄製管継手は、結果的に効果の低い耐摩耗性被膜の形成によらず、鋳鉄製管継手本体１の曲り部２の肉厚を大きくした厚肉部３を設けることによって、摩耗による肉厚減少を補償し耐久性を維持した構造としたものである。
【考案を実施するための形態】
【０００６】  以下、添付図面に従って、本考案の一形体について説明する。図１は、曲率半径が小さく摩耗による孔開き事例が多いエルボを示している。
【０００７】  エルボは、両端に排水管との接続端部４があり、接続端部４をつなぐ曲り部２から構成されている。肉厚を大きくした厚肉部３は曲り部２の曲率半径の小さい側２ａにあり、その他の部分より肉厚が約３〜４倍となっている。
【０００８】  図２に示すように、厚肉部３の肉厚ｔ１は、鋳鉄製管継手をあらかじめ設定した耐用年数に亘って使用し、排水管洗浄のホースにより厚肉部３が摩耗したとしても、漏水に至らない肉厚を確保できるように定めている。
【０００９】  厚肉部の肉厚寸法は、鋳鉄製管継手の形状によって異なっており、例えば、図３の９０°Ｙでは、厚肉部３の肉厚ｔ２（図４）は、その他の部分より肉厚が約２〜３倍となる。
【００１０】  排水管洗浄以外の通常の使用中において、内部を流れる流体によって管継手内面に腐食や摩耗が生じるが、厚肉部以外の部分は、洗浄ホースによる摩耗がないため、通常の肉厚寸法でも厚肉部と同様の耐用年数を確保でき、所望の年数に亘って支障なく使用できる。
【００１１】  なお、本考案の要旨に反しない限り、鋳鉄製管継手の具体的形状、構造、これらに対する付加部品等は、様々なものとすることができる。
【考案の効果】
【００１２】  以上のように、本考案の鋳鉄製管継手は、曲り部に肉厚を大きくした厚肉部を設けるという構造にしたことにより、排水管洗浄によるホースで厚肉部が摩耗しても肉厚が大きいため、厚肉部以外の部分と同等の期間に亘って必要な肉厚を確保でき、耐用年数を長くすることができるという効果を有している。
【図面の簡単な説明】
【図１】  本考案の一形体であるエルボの概略断面図である。
【図２】  図１の厚肉部断面図である。
【図３】  本考案の一形体である９０°Ｙの概略断面図である。
【図４】  図３の厚肉部断面図である。
【符号の説明】１    鋳鉄製管継手本体
２    曲り部
２ａ  曲率半径の小さい側
３    厚肉部
４    接続端部
【図１】
0003171757.tif 000003
【図２】
0003171757.tif 000004
【図３】
0003171757.tif 000005
【図４】
0003171757.tif 000006
(57)【要約】【課題】  犬猫が家の庭などの周囲に近寄らないようにする為に使用する、犬猫忌避剤の発散容器を提供する。【解決手段】  容器１の胴体２の周囲に複数の通気孔３を設ける、その容器１の蓋４には庇部５を設け、通気孔３から雨水が入らないようにする、そして容器１を取付ける支持杭６、または紐取付部８を設ける。【選択図】図１
0003171754.tif 000002
【実用新案登録請求の範囲】
【請求項１】
容器の胴体周囲に複数の通気孔を設ける、その容器に用いる蓋に庇部を設ける、そして容器を取付ける支持杭を設けたことを特徴とする犬猫忌避剤発散容器。
【請求項２】
容器の胴体周囲に複数の通気孔を設ける、その容器に用いる蓋に庇部を設ける、そして、容器の胴体に紐の取付部を設けたことを特徴とする犬猫忌避剤発散容器。
【考案の詳細な説明】
【技術分野】
【０００１】  本考案は、犬猫が家の庭などの周辺に近寄らないようにする為の犬猫忌避剤の発散容器に関する。
【背景技術】
【０００２】  従来、市販の犬猫忌避剤の殆どは粒状また液体などで、それを、家の周りや庭などに其のまま散布して、その臭いで犬猫が寄り付かないようにしていた。【０００３】  しかしながら、散布後に雨が降ると粒状の物は溶けて、又液体もみんな雨に流されて効果が失われてしまう欠点があった。
【先行技術文献】
【０００４】
【特許文献】
【特許文献】１．特開平８−１８７０４９号公報  ２．登録実用新案第３０１１５１８号公報
【考案の概要】
【考案が解決しようとする課題】
【０００５】  従来、犬猫忌避剤の種類としては、固形、顆粒、粉末、液状などが市販されている、これら、各種の犬猫忌避剤の何れにも使用できて、発散に有効な容器はなかった。
【考案を解決するための手段】
【０００６】  上記考案を解決するため、容器の胴体周囲に複数の通気孔を設ける、その容器の蓋には庇を設ける、そして、容器を取付ける支持杭を設けた忌避剤発散容器を設ける。または、胴体の周囲に設けた通気穴辺に、例えば、紐の取付部を設けて吊り下げるようにしても良い。
【考案を実施するための最良の形態】
【０００７】  本考案の実施の形態を図１に基づいて説明する。  図１、容器１の胴体２に通気孔３を複数個設ける。そして、その胴体２の蓋４には庇部５を設ける。胴体２と蓋４の取付け方法はネジ込み、嵌め込みなど任意である。また容器１の設置用として支持杭６を設ける。  但し、吊下げ用とした場合は支持杭６は不要である。【０００８】  尚、容器の各部サイズ及び材質などは任意である。  例えば、この容器を小型なものにして、一個の容器に忌避剤が３０ｇ位を入れた、安価な使い切り用として設けても良い。
【作用】
【０００９】  庭に支持杭６を打込み、それに忌避剤７を入れた容器１を取り付ける。  または、容器１に設けた紐の取付部を利用して吊り下げる。  尚、忌避剤７は、固形、顆粒、粉末、液状などから任意に選んで使用することが出来る。
【考案の効果】
【００１０】１．忌避剤７の臭気が通気孔３より外周に発散して犬猫を退散させる効果がある。２．蓋４に庇部５を設けたことにより、通気孔３から胴体２の中に雨水が入らないので忌避剤７が濡れることもないので、無駄なく永く効果を発揮するので経済的効果も大きい。３．本案容器は、固形、顆粒、粉末、液状など殆んどの犬猫忌避剤を使用することが出来るので便利である。
【考案の実験】
【００１１】  容器サイズ＝直径（胴体中央）８．５ｃｍ）×深さ１２ｃｍ×庇部直径１１ｃｍ              通気孔径１．５ｃｍ×４ヶ所            （手持ちの容器を加工したものである。）  上記の容器に市販の忌避剤「ユーカリレモン、シトロネラール等からなる粒状」を１個の容器に２０ｇをバラのまま入れて、約１００坪の庭に６箇所に分けて仕掛けたころ３ヶ月の間、犬猫が寄り付かなかった（糞が一度も無かった）。
【００１２】  そこで、上記の仕掛けを撤去したところ７日目頃から又糞をするようになった。  従って、その後は忌避剤を補充または入れ替えながら仕掛けを続けた。
【図面の簡単な説明】
【００１３】
【図１】本考案の一部開放側面図である。
【符号の説明】
【００１４】１・・・・・容器２・・・・・胴体３・・・・・通気孔４・・・・・蓋５・・・・・庇部６・・・・・支持杭７・・・・・忌避剤８・・・・・紐取付部
【図１】
0003171754.tif 000003
(57)【要約】      （修正有）【課題】芳香液を吸い上げ、自然気化させるためだけでなく、臭気の接触によっても脱臭することができる脱臭剤用の気化棒を提供する。【解決手段】毛細管現象で脱臭液を吸い上げて、大気に放出させる脱臭材用の気化棒において、炭で染めた気化棒を用いる。【選択図】図２
0003171760.tif 000002
【実用新案登録請求の範囲】
【請求項１】
毛細管現象で脱臭液を吸い上げて、大気に放出させる脱臭材用の気化棒において、炭で染めた気化棒を用いることを特徴とする脱臭剤用の気化棒。
【考案の詳細な説明】
【技術分野】
【０００１】  脱臭液を吸い上げて、気化させて、大気に放出するための気化棒に関する。
【背景技術】
【０００２】  毛細管現象にて吸い上げる気化棒として、芳香等放出容器における、受板へ載置させた吸液部が知られている（たとえば、特許文献１）。
【先行技術文献】
【特許文献】
【０００３】
【特許文献１】特開２０００−２３７２９１号公報
【考案の概要】
【考案が解決しようとする課題】
【０００４】  特許文献１は、消臭の効果を出すために、吸液部が芳香液を毛細管現象で吸い上げ、大気中に自然気化させるものだが、吸液部の素材が吸い上げるのみに使われている。
本考案は、吸液部の素材が、吸い上げ、自然気化させるためだけでなく、臭気の接触によっても脱臭するようにするものである。
【課題を解決するための手段】
【０００５】  本考案は、毛細管現象で脱臭液を吸い上げて、大気に放出させる脱臭材用の気化棒において、炭で染めた気化棒を用いたものである。
【考案の効果】
【０００６】  本考案の気化棒は、それ自体に、炭によるニオイの物質を吸着する機能をも持っているので、従来品より脱臭効果が大である。また、うす黒く染まった竹のような節のある外観となり、デザイン性が高くなった。
【図面の簡単な説明】
【０００７】
【図１】気化棒の使用状況
【図２】気化棒の構造
【図３】気化棒
【考案を実施するための形態】
【０００８】  図１のごとく、ガラス製容器１内に脱臭液２が入っており、気化棒３が、ガラス製容器１の口より、中に入って、脱臭液２に漬かっている。図２の気化棒３は、内部のポリエステル素材の長繊維体５を、やはりポリエステル素材の外側のカバー４により包まれることで、筒状の形態となっている。微粉化した木炭を適量の水に溶かした液体に、その気化棒３を漬け、染め、炭の成分が溶け出さなくなるまで、数回水で洗浄、自然乾燥を繰り返した。出来た気化棒は図３のごとく、うす黒く染まった竹のような節のある外観となり、置き型脱臭器としての、デザイン性を高めた。気化棒３は、水分を吸収しやすく、乾きやすい素材である。
【符号の説明】
【０００９】１…ガラス製容器
２…脱臭液
３…気化棒
４…カバー
５…長繊維体
【図１】
0003171760.tif 000003
【図２】
0003171760.tif 000004
【図３】
0003171760.tif 000005
(57)【要約】      （修正有）【課題】自宅で台や椅子に坐って、手軽に安定した姿勢でトレーニングが出来るトレーニング用品を提供する。【解決手段】下敷き鉄板に鉄棒を取りつけ、その上に上蓋鉄板をかぶせ蝶ボルトで靴の高さに合うように調節し、靴にしっかり固定するためにリプロンベルトで締めつける。【選択図】図１
0003171906.tif 000002
【実用新案登録請求の範囲】
【請求項１】
（イ）下敷き鉄板（１）裏に単管クランプ（２）を２個取りつけ、これに負荷用のバ−ベルプレ−トを入れる鉄棒（３）を固定する。
上部にはリプロンベルト（８）を通す角パイプ（７）を取りつける。
（ロ）下敷き鉄板と上蓋鉄板（１０）を蝶ボルト（１１）で固定し、靴にフイットさせるためリプロンベルトとバックル（９）を取りつけた。
以上のごとく構成されたウエイトトレ−ニング用品。
【考案の詳細な説明】
【技術分野】
【０００１】本考案は、大腿四頭筋［図１３］、大腰筋［図１４］を鍛えるために、下敷き鉄板［図３］と上蓋鉄板［図４］を蝶ボルトで止め、リプロンベルトとバックルを取りつけた、ウエイトトレ−ニング用品である。
【背景技術】
【０００２】従来、大腿四頭筋、大腰筋を鍛える主なウエイトトレ−ニング用品には、バ−ベルダンベル、バ−ベルプレ−ト取りつけ式マシン、ピン一本で重量を調節出来るマシンなどがあった。
【考案の開示】
【考案が解決しようとする課題】
【０００３】従来、バ−ベル、ダンベル、マシンなどで大腿四頭筋、大腰筋を鍛えるには、次のような問題点があった。
（イ）大腿四頭筋を鍛える主な種目は、スクワット［図７］やレッグエクステンション［図８］などがある。スクワットとはバ−ベルを肩にかつぎ、坐り立ちする動作である。ただし、この種目を腰や膝が悪い人が実施すると、更に悪化させてしまう危険性がある。
（ロ）膝が悪い人はレッグエクステンションマシンを使って、膝にかかるストレスを軽減し、大腿四頭筋を鍛える方法が一般的に行われている。膝の痛みの原因は、関節軟骨のすり減りなど膝そのものに原因がある場合や、膝をカバ−している大腿四頭筋が衰えているために膝をサポ−トすることが出来ず、膝痛を発症することもある。  自宅にレッグエクステンションマシンを購入し、膝をカバ−している筋肉を手軽に鍛えたいと思っても、器具も大きく置くスペ−スも取るので、鍛えるためにはリハビリ施設や器具の揃ったトレ−ニング施設にかようのが一般的である。
（ハ）スプリンタ−疾走能力向上には、膝を持ち上げる筋肉である股関節屈曲筋を鍛える必要がある。その代表的な筋肉は大腰筋である。大腰筋を鍛える方法はいくつかあるが、脚の付け根を支点に上体を持ち上げるクランチャ−［図９］や立った姿勢で壁に背中をつけ、膝上部にダンベルを置き、両手でダンベルが落ちないように支え、膝を上げ下げするニ−アップ［図１０］などもひとつの方法である。ただしニ−アップはダンベルが落ちそうになったりして不安定な姿勢になり、実施しずらい面がある。
【課題を解決するための手段】
【０００４】本考案は、［図６］のように靴の上に装着する。
下敷き鉄板に上蓋鉄板をかぶせ、蝶ボルトで靴の高さに合うように調節し、それをリプロンベルト、バックルで靴にしっかりと締めつけ、安全にトレ−ニングが出来るようにしたウエイトトレ−ニング用品である。
【考案の効果】
【０００５】考案は以上のような形状である。  これを使えば、坐ってから足が床に着かない台や椅子さえあれば、自宅でレッグエクステンションが手軽に行え大腿四頭筋を鍛えることが出来るので、トレ−ニング施設に通う必要がない。また、ニ−アップもこのトレ−ニング用品を［図１２］のように、靴に装着して立ち姿勢で膝を上げ下げすれば、両手でダンベルを支える必要がないので安定姿勢で大腰筋を鍛えることが出来る。
【考案を実施するための最良の形態】
【０００６】以下、本案の実施の形態について説明する。
（イ）下敷き鉄板（１）の裏に、単管クランプ（２）を取りつけ、これに負荷用バ−ベルプレ−トを入れる鉄棒（３）を固定する。
（ロ）上部にはリプロンベルト（８）を通す角パイプ（７）を取りつける。
（ハ）下敷き鉄板と上蓋鉄板（１０）を靴の高さに合わせられるように、蝶ボルト（１１）で調節固定する。
（ニ）靴にフイットさせるためにリプロンベルトで締めつけバックル（９）で止める。
（ホ）本案を使用すれば、坐って足の着かない椅子や台があれば、レッグエクステンショョンマシンがなくても手軽に大腿四頭筋を鍛えることが出来る。
（ヘ）本案を使用すれば、ニ−アップも両手でダンベルを支える必要がなく実施出来る
【図面の簡単な説明】
【０００７】
【図１】本考案の斜視図である。
【図２】下敷き鉄板を裏側から見た図である。
【図３】下敷き鉄板を表側から見た図である。
【図４】上蓋鉄板の斜視図である。
【図５】下敷き鉄板と上蓋鉄板を、蝶ボルトで止めた図である。
【図６】本考案のウエイトトレ−ニング用品を靴に装着した図である。
【図７】スクワットを実施している図である。
【図８】レッグエクステンションマシンを使用して、レッグエクステンションを実施している図である。
【図９】クランチャ−を実施している図である。
【図１０】ニ−アップを実施している図である。
【図１１】本案を使用して大腿四頭筋を鍛えている図である。
【図１２】本案を使用して大腰筋を鍛えている図である。
【図１３】大腿四頭筋の図である。
【図１４】大腰筋の図である。
【符号の説明】
【０００８】１  下敷き鉄板
２  単管クランプ
３  プレ−トを入れる鉄棒
４  プレ−ト止めカラ−
５  六角ナット
６  ワッシヤ
７  角パイプ
８  リプロンベルト
９  バックル
１０  上蓋鉄板
１１  蝶ボルト
【図１】
0003171906.tif 000003
【図２】
0003171906.tif 000004
【図３】
0003171906.tif 000005
【図４】
0003171906.tif 000006
【図５】
0003171906.tif 000007
【図６】
0003171906.tif 000008
【図７】
0003171906.tif 000009
【図８】
0003171906.tif 000010
【図９】
0003171906.tif 000011
【図１０】
0003171906.tif 000012
【図１１】
0003171906.tif 000013
【図１２】
0003171906.tif 000014
【図１３】
0003171906.tif 000015
【図１４】
0003171906.tif 000016
(57)【要約】【課題】  プレゼンテーション、建設、建築現場等での説明の際にレーザーポインターと支持棒のどちらも使用することができ、さらにタッチ式モバイル端末を操作できる電導性弾性体を設け、端末画面を指の油や埃等で汚すことなくプレゼンテーションや説明が可能なレーザーポインターを提供する。【解決手段】  レーザーポインター（１）のレーザー発光部の逆端に伸縮式支持棒（２）を設け、さらに支持棒の先端に電導性弾性体を設けた指示棒、タッチペン付きレーザーポインターを特徴とする。【選択図】図１
0003171902.tif 000002
【実用新案登録請求の範囲】
【請求項１】
レーザーポインター（１）の発光部の逆端に伸縮式の指示棒（２）を設け、さらに、支持棒の先端に電導性弾性体（３）を設け、タッチ式モバイル端末等の操作用タッチペンとしても使用できる、指示棒、タッチペン付きレーザーポインター。
【考案の詳細な説明】
【技術分野】
【０００１】この考案は、レーザーポインターの発光部逆端に伸縮式指示棒とその先端にタッチパネル等に使用可能な電導性弾性体を設けたレーザーポインターに関するものである。
【背景技術】
【０００２】  従来、レーザーポインターと指示棒、タッチペンは別々になっていた。
プレゼンテーションの場や建築、建設現場では指示棒を使っての説明が必要となる場合が多くある。
レーザーポインターに伸縮式支持棒を設け指示棒先端が発光する物や、レーザーポインターと伸縮式支持棒を平行に設けた物はあるが、レーザーポインター発光部の逆端に支持棒を設けた物は存在しなかった、
さらに、タッチ式モバイル端末に使用できる電導性弾性体を設けた、プレゼンテーションの場や建築、建設現場での説明にモバイル端末を使用する機会が急激に増えたことにも対応する物である。
【考案の概要】
【考案が解決しようとする課題】
【０００３】  これは次のような欠点があった。
主にプレゼンテーションや建築、建設現場で使用していたレーザーポインターだが、時と場合、場所により、伸縮式指示棒の方が使い勝手が良い場合がある。
また、タッチ式モバイル端末による、プレゼンテーション、説明においては、指での端末操作では画面が指の油等で汚れ端末画面が見にくくなる。
本考案は、以上のような欠点をなくすためになされたものである。
【課題を解決するための手段】
【０００４】  レーザーポインター（１）の発光部とは逆端に伸縮性の支持棒（２）を設け、さらにその先端に電導性弾性体（３）を設ける。
本考案は、以上の構成よりなる指示棒、タッチペン付きレーザーポインターである。
【考案の効果】
【０００５】  プレゼンテーション会場の広さや、建築、建設現場での状況により使い分けていた、レーザーポインターと指示棒が一体化したため、レーザーポインター、指示棒の両方を持参する手間が省ける。
また、レーザー発光部とは逆端に支持棒を設けることにより、コンパクトで持ち運びに便利だ。
さらに、タッチ式モバイル端末の操作にも使えるため、プレゼンテーションの場や建築、建設現場などでのモバイル端末を使った説明の際にも、端末画面を汚し画面を見にくくすることなく操作を行える。
【図面の簡単な説明】
【０００６】
【図１】  本考案の断面図である。
【図２】  本考案の全体構成図である。
【図３】  本考案の本体図である。
【考案を実施するための形態】
【０００７】  以下、本考案を実施するための形態について説明する。
日本工業規格が認めるクラス２タイプのレーザーポインター（１）の発光部の逆端に伸縮式の指示棒（２）を設ける。
その指示棒先端に電導性弾性体（３）を設け、タッチ式モバイル端末の操作も行うことができる、指示棒、タッチペン付きレーザーポインター。
【符号の説明】
【０００８】１  レーザーポインター本体
２  伸縮式指示棒
３  電導性弾性体（タッチペンとして使用）
４  レーザー発光部
【図１】
0003171902.tif 000003
【図２】
0003171902.tif 000004
【図３】
0003171902.tif 000005
(57)【要約】      （修正有）【課題】表面がなめらかで、皮膚を傷つけることなくマッサージを行うことができるマッサージ用具を提供する。【解決手段】石、ガラス、陶器製のマッサージ用具の板体や突起体の表面に微細化した金属、鉱物をコーティングする。【選択図】図３
0003171912.tif 000002
【実用新案登録請求の範囲】
【請求項１】
微細化した金属、鉱物を表面にコーティングしたことを特徴とする石、ガラス、陶器製の板型、突起型のマッサージ用具。
【考案の詳細な説明】
【技術分野】
【０００１】この考案は顔および他の体の皮膚を押圧回転し、マッサージを行う美顔、美肌用具に関する。
【背景技術】
【０００２】従来のマッサージ用具には石、ガラス、陶器製の突起型や板型で皮膚を押圧して使用するマッサージ用具がある。
【考案の開示】
【考案が解決しようとする課題】
【０００３】従来の石、ガラス、陶器製の板型、突起型マッサージ用具は割れたり、折れたり、ひびがはいりやすく皮膚を傷つけるおそれがある。
【課題を解決するための手段】
【０００４】本考案の微細化した金属、鉱物を表面にコーティングした石、ガラス、陶器製のマッサージ用具を提供する。
【考案の効果】
【０００５】石、ガラス、陶器の表面を微細な金属、鉱物がコーティングすることにより、石、ガラス、陶器の表面にあったヒビ、キズが微細な金属、鉱物により被覆されてなめらかになり  マッサージをする際に皮膚に優しく働く。また従来の石、ガラス、陶器のマッサージ用具が微細な金属、鉱物によりコーティングされることにより強度が増す。
【実施例】
【０００６】［図１］が従来の石、ガラス、陶器のマッサージ用板体で、表面には細かいキズやヒビがある。同じく［図２］が従来の石、ガラス、陶器のマッサージ用突起体で、表面には細かいキズやヒビがある。［図３］が本考案の微細化した金属、鉱物を表面にコーティングした石、ガラス、陶器製のマッサージ用具の板体で、表面のキズやヒビはコーティングされてなくなっている。同じく［図４］が本考案の微細化した金属、鉱物を表面にコーティングした石、ガラス、陶器製のマッサージ用具の突起体で、表面のキズやヒビはコーティングされてなくなっている。
【産業上の利用可能性】
【０００７】本考案のマッサージ用具は表面がなめらかで  皮膚を傷つけることなくマッサージを行い、血行をよくして健康を増進する。
【図面の簡単な説明】
【０００８】
【図１】従来の石、ガラス、陶器製マッサージ用具の板体
【図２】従来の石、ガラス、陶器製マッサージ用具の突起体
【図３】本考案の微細化した金属、鉱物を表面にコーティングした石、ガラス、陶器製のマッサージ用具の板体
【図４】本考案の微細化した金属、鉱物を表面にコーティングした石、ガラス、陶器製のマッサージ用具の突起体
【図１】
0003171912.tif 000003
【図２】
0003171912.tif 000004
【図３】
0003171912.tif 000005
【図４】
0003171912.tif 000006
(57)【要約】      （修正有）【課題】串だんご、焼き鳥等は先端から１個目、２個目までは食べやすいが３個目からは食べにくく、たれ等で手も汚れてしまい、３個目からを食べ易くするためと、幼児や、眼の不自由な方にも、串の先端が、口の中に刺さるのではないかな、と思う心配を失くすために、安心して食べられるように、串だんご、焼き鳥用押上げ用具を提供する。【解決手段】用具は浅い皿形で周縁２は幼児や眼の不自由な方が誤飲を防ぐために花びら形に形成し、一般的な串や、つまみ部分のある串８を、皿底４の中央に差し込むための切り込み入り穴３を設ける。材質は弾力性・柔軟性・耐熱性に富み、身体にも安心なシリコーン製の素材で製作する。【選択図】図３
0003171915.tif 000002
【実用新案登録請求の範囲】
【請求項１】
用具は浅い皿形で周縁は幼児や眼の不自由な方が、誤飲を防ぐために花びら形に形成し、一般的な串や、つまみ部分のある串を、皿底の中央に差し込むための切り込み入り穴を設け、材質は、弾力性・柔軟性・耐熱性に富み、身体にも安心なシリコーン製の素材で製作したことを特徴とする串だんご、焼き鳥用押し上げ用具。
【考案の詳細な説明】
【技術分野】
【０００１】  本考案は、串だんご、焼き鳥等を食べる時に１個目、２個目までは食べやすいが３個目からが食べにくいため、食やすくするための用具に関するものである。
【背景技術】
【０００２】  従来、串用押し具（特許文献１参照）、串抜き補助具（特許文献２参照）等があった。
【特許文献１】特許公開２００６−１８７５６０
【特許文献２】登録実用新案第３０６６７９１号
【考案の概要】
【考案が解決しようとする課題】
【０００３】  そのために次のような問題点があつた。
（イ）串だんご、焼き鳥等は１個目、２個目までは食べ易いが３個目からは串の先端が口の中に当たり食べにくく、また、たれ等がはみ出し、手を汚してしまうため、手を汚さずに食べやすくするために、大変難しかった。
（ロ）幼児や眼の不自由な方にも誤飲を防ぐために、用具の形をどのようにしたらよいか、難しかった。
（ハ）串に装着して押し出す類の用具もいくつか知られているが、使い捨てを前提にしている為、紙製で切り込みを入れたりしてあるので使うには安定感がなく、ゴミを増やすことにもなる。又、プラスチックで作ったものも知られているが、串に挿入装着するのに難があり、素材的にも直接食品に触れるものとしてはあまり好ましくない。補助具は串とは別にもう一つの用具を手に持たねばならず、両手がふさがり、力の入れ具合の調節も難しい。
本考案は、以上の問題点を解決するためになされたものである。
【問題を解決するための手段】
【０００４】  用具は浅い皿形で、周縁を幼児や眼の不自由な方にも誤飲を防ぐために花びら形に形成する。皿底の中央に、一般的な串と、つまみ部分がある串どちらも、差し込み易くするための切り込み入り穴を設ける。材質は弾力性・柔軟性・耐熱性に富み、身体にも安心なシリコーン製が適している。
【考案の効果】
【０００５】  浅い皿形で、周縁を花びら形に形成したことで、幼児や眼の不自由な方にも、串用の用具であることが直ぐに分かり誤飲を防ぐことができる。串だんご、焼き鳥等は先端から１個目、２個目は食べ易いが、３個目からは串の先端が危なっかしく気になって食べにくく、本考案を使用することで、串の先端を気にせずに先端まで順次に押し上げられ、食べ易く、手を汚さずに最後まで食べることができ、安心、安全である。又本考案は耐熱性に優れたシリコーン製なので、焼きたての具材が熱くても障害がなく、押し上げる指もヤケドをヤケドしたりする心配がない。用具は水で洗って何度でも使用できる。
【図面の簡単な説明】
【０００６】
【図１】  本考案の斜視図
【図２】  本考案の実施例を示すイメージ図
【図３】  本考案を装着して押し上げた状態の実施例を示す斜視図
【図４】  本考案の実施例を示すイメージ図
【図５】  本考案を装着して押し上げた状態の実施例を示す斜視図
【考案を実施するための形態】
【０００７】  以下、本考案の実施の形態を説明する。
（イ）押し上げ用具（１）は浅い皿形（４）に形成する。周縁（２）は幼児や眼の不自由な方にも誤飲を防ぐために花びら形に設ける。皿底（４）の中央に一般的な串（８）と、つまみ部分がある串（８）どちらも差し込み易くするための切り込み入り穴（３）を設ける。材質は弾力性・柔軟性・耐熱性に富み、身体にも安心なシリコーン製の素材が敵している。
本考案は以上のような構造で、これを使用するときは、押し上げ用具（１）を持ち、もう片方の手で串（８）だんご（５）又は、焼き鳥具材（６）等の刺さった串（８）を持ち串の下端を皿底（４）の中央の切り込み入り穴（３）に差込み、串だんご（５）、焼き鳥具材（６）等の最後尾まで指（７）で押し上げる。
【０００８】  また図３、図５に示すように、串だんご、焼き鳥の串先端の１個目を食べた後は、食べ易いように順次、押し上げ用具（１）を指（７）で上に押し上げながら、だんご（５）、焼き鳥具材（６）等を、最後まで串（８）に刺ささったままで食べ易く、手を汚さずに食べることができる。
使用後は簡単に水洗いで、きれいになり、何度でも使える。
【符号の説明】
【０００９】１  押し上げ用具
２  周縁
３  切り込み入り穴
４  皿底
５  だんご
６  焼き鳥具材
７  指
８  串
【図１】
0003171915.tif 000003
【図２】
0003171915.tif 000004
【図３】
0003171915.tif 000005
【図４】
0003171915.tif 000006
【図５】
0003171915.tif 000007
(57)【要約】      （修正有）【課題】表面がなめらかで、皮膚を傷つけることなくマッサージを行うことができるローラーを提供する。【解決手段】石、ガラス、陶器製のマッサージ用ローラーの表面に微細化した金属、鉱物をコーティングする。【選択図】図２
0003171913.tif 000002
【実用新案登録請求の範囲】
【請求項１】
皮膚の表面上で回転させるマッサージ用ローラーで、円筒型や球状の回転体に、微細化した金属、鉱物を表面にコーティングしたことを特徴とする石、ガラス、陶器製のマッサージ用のローラー。
【考案の詳細な説明】
【技術分野】
【０００１】この考案は顔および他の体の皮膚を押圧回転し、マッサージを行う美顔、美肌用具に関する。
【背景技術】
【０００２】従来のローラー式マッサージ用具には石、ガラス、陶器製の円筒型や球状の回転体で皮膚を押圧して使用するマッサージ用のローラーがある。
【考案の開示】
【考案が解決しようとする課題】
【０００３】従来のマッサージ用の石、ガラス、陶器製の円筒形や球状の回転体で皮膚を押圧するローラーは表面にヒビ、キズがありマッサージの際に皮膚を傷つけるおそれがある。
【課題を解決するための手段】
【０００４】本考案の微細化した金属、鉱物を表面にコーティングしたことを特徴とする石、ガラス、陶器製のマッサージ用のローラーを提供する。
【考案の効果】
【０００５】本考案の微細化した金属、鉱物を表面にコーティングした石、ガラス、陶器製のマッサージ用ローラーは表面にキズ、ヒビがなくなめらかで  マッサージ時に皮膚をきずつけることがない。
【実施例】
【０００６】［図１］が従来の石、ガラス、陶器製のマッサージ用ローラーで、表面に細かいヒビ、キズがある。［図２］が本考案の微細化した金属、鉱物を表面にコーティングした石、ガラス、陶器製のローラーは表面にキズ、ヒビがなくマッサージの際に皮膚を傷つけない。
【産業上の利用可能性】
【０００７】本考案の微細化した金属、鉱物でコーティングしたマッサージ用のローラーは表面にキズ、ヒビがないので安心してマッサージすることができるので、効率よくマッサージを行い、血行をよくして健康を増進する。
【図面の簡単な説明】
【０００８】
【図１】従来の石、ガラス、陶器製のマッサージ用ローラー
【図２】本考案の微細化した金属、鉱物を表面にコーティングしたマッサージ用ローラー
【図１】
0003171913.tif 000003
【図２】
0003171913.tif 000004
(57)【要約】      （修正有）【課題】チップ部品を収納したキャリアテープを、巻かれたリールに長時間整然と固定する固定用バンドを提供する。【解決手段】キャリアテープ５と同じまたはそれ以下の幅及び、キャリアテープを巻いたリールの外周以上の長さを外形寸法とし、伸縮性の素材で形成する。先端にカバーテープを挟み込む突起２、終端側に先端部の突起を通すための穴３を複数有し、先端部の突起にキャリアテープより剥離されたカバーテープ４の先端を挟みこんで固定し、リールに巻かれたキャリアテープとカバーテープの最上面の上を巻き方向に一周させ、終端側の穴に先端部の突起を通して固定する。【選択図】図２
0003171914.tif 000002
【実用新案登録請求の範囲】
【請求項１】
キャリアテープと同じまたはそれ以下の幅及び、キャリアテープを巻いたリールの外周以上の長さを外形寸法とし、伸縮性の素材であって、先端にカバーテープを挟み込む突起、終端側に先端部の突起を通すための穴を複数有し、先端部の突起にキャリアテープより剥離されたカバーテープの先端を挟みこんで固定し、リールに巻かれたキャリアテープとカバーテープの最上面の上を巻き方向に一周させ、終端側の穴に先端部の突起を通して固定する構造を有する固定バンド。
【考案の詳細な説明】
【技術分野】
【０００１】  本考案は、リールに巻かれたキャリアテープを固定するためのバンドの構造に係わる。
【背景技術】
【０００２】  キャリアテープに収納後カバーテープで覆い、リールに巻いた状態のチップ部品が多く流通しているが、この梱包品のカバーテープを剥離して部品を使用し、その後保管するケースもある。【０００３】  一度開封されたキャリアテープを、リールに巻きつけた状態で保管するために、先端を粘着性のテープで固定する方法は多く採用されている。（特許文献１）
【先行技術文献】
【特許文献】
【０００４】
【特許文献１】特開２０１０−１１１４８１
【考案の概要】
【考案が解決しようとする課題】
【０００５】  しかし、キャリアテープが厚い紙製であったり、あるいは開封済みのリールを長期間保管するような場合、粘着テープだけでは充分固定されず、キャリアテープがリールからはみ出たり、カバーテープが外れて部品が落下したりする問題がある。
【課題を解決するための手段】
【０００６】  本考案は、カバーテープを挟み込むための切り込みを端部に持つ、伸縮性のある帯を、リールに巻かれたキャリアテープの最上面を一周させて固定することで、リールに巻かれたキャリアテープの巻きを保持する、バンド構造である。
【考案の効果】
【０００７】  本考案によれば、経時劣化する粘着テープに頼らず、キャリアテープの上を一周するバンド方式によって、長期間キャリアテープをリール状に巻きつけることができ、かつ残量が少なくなってキャリアテープの巻き量が減った状態でも確実に留めることができ、かつカバーテープとキャリアテープをずらすことなく巻きつけていられるので、チップ部品等の落下を防ぎ、チップリールを整然と保管することができる。
【図面の簡単な説明】
【０００８】
【図１】本考案の上面及び断面図である。
【図２】本考案を装着する際の説明図である。
【考案を実施するための形態】
【０００９】  以下、本考案の実施例を図面に示す番号を用いて説明する。
【００１０】  図１は本考案の製品形態である。キャリアテープの固定用バンドとして使用する際には、図２に示すように、キャリアテープより剥離されたカバーテープ４の先端を、図１及び２の突起２の切り込み１に挟み込む。
【００１１】  カバーテープを切り込み１に挟んで固定した本製品は、図２に示すリールに巻かれたキャリアテープ５の上を、一周する。
【００１２】  図１及び図２に示す穴３に突起２を通して固定する。
【符号の説明】
【００１３】１・・・・・切り込み
２・・・・・突起
３・・・・・穴
４・・・・・カバーテープ剥離部
５・・・・・キャリアテープ（カバーテープが接着され、リールに巻かれた状態）
【図１】
0003171914.tif 000003
【図２】
0003171914.tif 000004
(57)【要約】【課題】空調装置の熱効率を向上させて省電力化を図ることができる空調装置の屋外機の通風遮光ネット装置を提供することを目的とする。【解決手段】空調装置１０の屋内機１１と屋外機１２は冷媒が循環する配管１３、１４で接続されている。屋外機１２で凝縮・液化された冷媒は配管１３を通って屋内機１１へ送られ、ここで蒸発して気化熱を奪うことによって生成された冷気は屋内へ排風される。屋内機１１で気化した冷媒は配管１４を通って屋外機１２へ送られ、再び凝縮・液化される。屋外機１２には通風遮光ネット２１が被蓋されて屋外機１２は日陰の環境下にあり、それだけ空調装置の熱効率を向上させて省電力化を図ることができる。【選択図】図１
0003171945.tif 000002
【実用新案登録請求の範囲】
【請求項１】
建造物の屋内にあって冷媒の気化熱によって生成した冷気を吹き出す屋内機と、冷媒の凝縮を行う屋外機とを備え、屋内機と屋外機の間で冷媒を循環させる空調装置の前記屋外機に被蓋される通風遮光ネット装置であって、前記屋外機の周囲に組み立てられるフレームと、このフレームに装着されて前記屋外機に被蓋される通風遮光ネットとから成ることを特徴とする空調装置の屋外機の通風遮光ネット装置。
【請求項２】
前記通風遮光ネットは暗色の寒冷紗であることを特徴とする請求項１記載の空調装置の屋外機の通風遮光ネット装置。
【考案の詳細な説明】
【技術分野】
【０００１】
本発明は、建造物の屋内に冷気を吹き出す屋内機と、冷媒の凝縮を行う屋外機とから成る空調装置の屋外機に熱効率の向上のために被蓋される通風遮光ネット装置に関するものである。
【背景技術】
【０００２】
各種建造物に設置される空調装置は、建造物の屋内に冷気を吹き出す屋内機と、冷媒の凝縮を行う屋外機とから成るものが広く用いられている。
【考案の概要】
【考案が解決しようとする課題】
【０００３】
この種空調装置は、屋内機で冷気の生成のために気化させた冷媒を屋外機の凝縮器で凝縮・液化し、再び屋内機へ送るものであるが、屋外機は建造物の屋外に設置されているため、夏期にはきわめて高温の外気下に曝されている。すなわち、屋外機は直射日光に曝され炎天下にあることが多いため、それだけ屋外機の熱効率は低く、消費電力が高くなるという問題点があった。
【０００４】
このような問題点を解決するために、従来は屋外機に水を噴霧することが知られているが、この方法は単に面倒であるだけでなく、一時的に屋外機を冷やす効果はあるもののすぐに高温に戻り、更には熱交換用フィン等の屋外機の構成部品の損傷が激しく、最悪の場合、運転不能になるという問題点があった。
【０００５】
そこで本発明は、空調装置の熱効率を向上させて省電力化を図ることができる空調装置の屋外機の通風遮光ネット装置を提供することを目的とする。
【課題を解決するための手段】
【０００６】
このために本発明は、建造物の屋内にあって冷媒の気化熱によって生成した冷気を吹き出す屋内機と、冷媒の凝縮を行う屋外機とを備え、屋内機と屋外機の間で冷媒を循環させる空調装置の前記屋外機に被蓋される通風遮光ネット装置であって、前記屋外機の周囲に組み立てられるフレームと、このフレームに装着されて前記屋外機に被蓋される通風遮光ネットとから成る。
【０００７】
また望ましくは、前記通風遮光ネットは暗色は寒冷紗である。
【考案の効果】
【０００８】
本発明において、冷媒は屋内機と屋外機を循環し、屋外機において冷媒は凝縮・液化されるが、この場合、屋外機は通風遮光ネットが被蓋された涼しい日陰の環境下にあるので、屋外機はより少ない消費電力で熱効率よく冷媒を凝縮・液化させることができる。
【図面の簡単な説明】
【０００９】
【図１】本発明の一実施の形態における空調装置の屋外機の通風遮光ネット装置を設置した建造物の側面図
【考案を実施するための形態】
【００１０】
図１において、空調装置１０は建造物１の屋内に設置された屋内機１１と建造物１の屋外の地面上に設置された屋外機１２とから成っており、屋内機１１と屋外機１２は冷媒が循環する配管１３、１４で接続されている。
【００１１】
屋外機１２の凝縮器１５で凝縮・液化された冷媒は配管１３を通って屋内機１１へ送られ、屋内機１１の蒸発器で蒸発して気化熱を奪い、これにより生成された冷気は屋内へ排風される。屋内機１１の蒸発器で気化した冷媒は配管１４を通って屋外機１２へ送られ、再び凝縮・液化される。図中、破線矢印は空気の流れを示している。
【００１２】
屋外機１２の周囲には、鋼棒などの棒体によりフレーム２０が構築されている。またフレーム２０には通風遮光ネット２１が装着されており、通風遮光ネット２１は屋外機１２の上部や側部に被蓋されている。通風遮光ネット２１は、例えば寒冷紗のような通気性を有する暗色、望ましくは黒色のネットから成っている。したがってフレーム２０の内部に位置する屋外機１２は、通風遮光ネット２１が被蓋された日陰の環境下にあり、太陽に曝される炎天下の外温度よりもかなり低温の涼しい温度下にある。したがって、フレーム２０と通風遮光ネット２１は、通風遮光ネット装置を構成している。
【００１３】
空調装置１０は、上記のように冷媒が屋内機１１と屋外機１２を循環して運転され、屋外機１２において冷媒は凝縮・液化されるが、この場合、屋外機１２は通風遮光ネット２１が被蓋された涼しい日陰の環境下にあり、外部の空気は比較的涼しい空気として通風遮光ネット２１内に流入するので、屋外機１２はより少ない消費電力で熱効率よく冷媒を凝縮・液化させることができる。
【産業上の利用可能性】
【００１４】
本発明において、空調装置の屋外機は通風遮光ネットが被蓋された涼しい日陰の環境下にあり、外部の空気は比較的涼しい空気として通風遮光ネット内に流入するので、屋外機はより少ない消費電力で熱効率よく冷媒を凝縮・液化させることができる。
【符号の説明】
【００１５】
１  建造物
１０  空調装置
１１  屋内機
１２  屋外機
１３、１４  配管
１５  凝縮器
２０  フレーム（通風遮光ネット装置）
２１  通風遮光ネット（通風遮光ネット装置）
【図１】
0003171945.tif 000003
(57)【要約】      （修正有）【課題】乳牛にＩＣタグを取り付け、そのＩＣタグに記録させた乳牛の個体番号を読取り機械により読取り、表示させる乳牛の個体番号読取り表示システムを提供する。【解決手段】乳牛の後ろ足に装着させるエストラマー樹脂によって製造されたバックル状で予め乳牛の個体番号を記録させたＩＣタグ２を通した足ベルト１と、個体番号を読取り表示させるための読取り機械とを備えた乳牛の個体番号読取り表示システム。【選択図】図１
0003171895.tif 000002
【実用新案登録請求の範囲】
【請求項１】
乳牛の後ろ足に装着させるエストラマー樹脂によって製造され、バックル状で予め乳牛の個体番号を記録させたＩＣタグを通した足ベルトと、個体番号を読取り表示させるための読取り機械とを備えたことを特徴とする個体番号読取り表示システム。
【考案の詳細な説明】
【技術分野】
【０００１】  本考案は、乳牛の後ろ足にＩＣタグを取り付け、そのＩＣタグに記録させた乳牛の個体番号を読取り機械により読取り、表示させる装置に関するものである。
【背景技術】
【０００２】  従来から乳牛の個体番号を読取り、表示するシステムはよく知られており、各種の個体番号読取り表示システムが提案されている。従来の乳牛の個体番号読取り表示システムは、搾乳の際には、その都度、乳牛毎の搾乳量とその乳牛の個体番号を結びつけたデータを記録しなければならないため、搾乳は、搾乳タンクと一体になった搾乳機によって行われていた。【０００３】その搾乳機は、その搾乳機毎に個体番号を入力する入力キーがあり、それにより個体番号を入力して一頭毎の搾乳量と個体とのデータの結びつけを行っている。
その個体番号を入力する際は、乳牛の耳に個体番号を手書きした耳札を取り付けておき、ひとりが乳牛の前方に立ち、その番号を目視によって読取り、もう一人が搾乳機に付属した入力キーによって伝えられた個体番号を手動により搾乳機に入力を行っていた。
【先行技術文献】
【特許文献】
【０００４】
【特許文献１】特開２０１１−１３９９９号公報
【考案の概要】
【考案が解決しようとする課題】
【０００５】  しかしながら、従来の乳牛個体番号読取り表示システムでは、乳牛の個体番号を目視にて読取り、それを入力する作業が毎日行われているため、その作業に掛かる人的、時間的な負担が大きく、また、目視により読取りであるために、個体番号を誤って入力してしまうという課題を有していた。
【課題を解決するための手段】
【０００６】  上記課題を解決するために、乳牛の後ろ足に装着させるエストラマー樹脂にて製造されバックル状で予め乳牛の個体番号を記録させたＩＣタグを通した足ベルトと、個体番号を読取り表示させるための読取り機械とを備えたものである。
【考案の効果】
【０００７】以上のように、本考案の乳牛の個体番号読取り表示システムによれば、情報の読取りを非接触で行うことができるため、個体番号を誤って入力してしまうということがなく、そのため、作業能率を飛躍的に高めることができるものであり、安価なコストでシステムを構築することができるものである。【０００８】  また、この読取り機械は、ハンディータイプで、作業時に現場へ持ち出せるため、アンモニアが付着するとか、湿度が非常に高いといった環境においても、内部の電気回路の腐食等による劣化を防止することが容易にできるという効果が得られるものである。
【図面の簡単な説明】
【０００９】
【図１】本考案の乳牛の個体番号読取り表示システムのＩＣタグを通した足ベルト
【図２】本考案の乳牛の個体番号読取り表示システムのバックル状のＩＣタグ
【図３】本考案の乳牛の個体番号読取り表示システムのＩＣタグを通した足ベルトを乳牛に装着した図
【図４】搾乳場の概略図
【図５】本考案の乳牛の個体番号読取り表示システムの実際の個体番号を読取機械で読み取った状態を表す写真
【図６】本考案の乳牛の個体番号読取り表示システムの実際の使用状態を表す写真
【考案を実施するための形態】
【００１０】  以下、図面を参照して本考案の実施の形態に係る乳牛の個体番号読取り表示システムについて説明する。尚、各図において、同一部分には、同一符号を付している。
【００１１】  図１は、本考案の実施の形態に係る乳牛の個体番号読取り表示システムのＩＣタグを通した足ベルトを表す図、図２は、本考案の乳牛の個体番号読取り表示システムのバックル状のＩＣタグを表す図であり、図３は、本実施例における本考案の乳牛の個体番号読取り表示システムのＩＣタグを通した足ベルトを乳牛に装着した状態を表す図であり、図４は、搾乳場の状態を表した概略図であり、図５は、本考案の乳牛の個体番号読取り表示システムの読取機械にてＩＣタグの個体番号を読み取った写真であり、図６は、本考案の乳牛の個体番号読取り表示システムの実際の使用状態を表す写真である。
【００１２】  図１において、ＩＣタグは、図２に示すようにバックル状になっており、足ベルトに通して使用される。図３のように装着する。
【００１３】  以上のように構成された乳牛の個体番号読取り表示システムにおいて、以下その測定動作について、図１、図２、図３、図４、図５、図６を用いて説明する。
【００１４】  搾乳は、図４のように、左右１０頭入る搾乳場にて行われる。乳牛は、待機場から、ゲートをくぐり通路を通り、個々に仕切られた搾乳場所へ頭から入っていく。入った時点で仕切りが下ろされ搾乳終了までそこに係留される。乳牛は、乳房（乳牛の後ろ側）を搾乳作業側に向けて係留される。乳牛の乳房は、両後ろ足の間に位置している。その時、ＩＣタグを通した足ベルトは、図３のように乳牛の後ろ足の足首付近に装着される。装着する後ろ足の左右・内外は問わない。またその位置は、搾乳作業を行う側からは、接触可能な位置にある。
【００１５】図１のように、ＩＣタグは、１３．５６メガヘルツ／ＨＦ帯のインレットを熱可塑性エストラマー樹脂にてモールドし、防水性、温度変化、柔軟性を高めたタイプで、形状は、足ベルトに着脱が可能なように、両サイドにスリットをいれたバックルタイプとした。
【００１６】  読取り機械は、ＩＣタグへ乳牛の個体番号を記録させる機能、記録した個体番号を読取り、表示させる機能、データの書き換え、削除が可能な機能、記録した全ての個体番号を管理するサーバへ送受信する機能。これらの機能を組込ませている。
読取りの距離は、近傍タイプで約１０センチまでの距離にて読取りが可能。
搾乳場に係留された乳牛の後ろ足に装着されたＩＣタグに、読取り機械を約１０センチまでの距離に近づけてＩＣタグ情報を読取る。読取り機械の表示画面に、読み取った個体番号が表示される。その表示された個体番号を搾乳機に備え付けられた入力キーにて個体番号を手作業で入力する。入力された個体番号は、搾乳機と連動した搾乳量データと結び付けられ、管理サーバへ送られる。
【符号の説明】
【００１７】１：足ベルト
２：ＩＣタグ
３：乳牛の足
４：読取り機械
５：表示画面
【図１】
0003171895.tif 000003
【図２】
0003171895.tif 000004
【図３】
0003171895.tif 000005
【図４】
0003171895.tif 000006
【図５】
0003171895.tif 000007
【図６】
0003171895.tif 000008